(57)【要約】【課題】上記事実を考慮して成されたもので、ＤＶＲ等のデジタルカメラで撮影することによって得られる画像データを、安価かつ簡便に編集することが可能な動画像編集システムを提供することを目的とする。【解決手段】再生装置５０は、リムーバブルディスク８８に記録された画像データを読取るディスク装置１４を備え、読取った画像データに基づいて、再生手段１２ではディスプレイ１６に動画像を表示するための処理を行い、ディスプレイ１６に画像データに基づく動画像を再生表示する。そして、再生手段１２によって再生される動画像に基づく編集情報を生成する編集情報生成手段２０を備え、編集情報生成手段２０によって生成された編集情報を、カードＩ／Ｆ２２によってメモリカード等の記憶メディア９０に記憶し、サーバコンピュータで記憶メディア９０に記憶された編集情報に基づく画像データの編集を行ってリムーバブルディスク８８に記録する。【選択図】　　　　図３
2004128685.tif 000002
【特許請求の範囲】
【請求項１】
画像を表す画像データが予め記録された第１の記録媒体から前記画像データを読み取って、画像を表示再生するための再生手段と、前記再生手段による表示再生中に、前記画像データを編集するための編集指示情報を入力するための入力手段と、前記入力手段によって入力された前記編集指示情報を前記第１の記録媒体または前記第１の記録媒体とは異なる第２の記録媒体に記録する記録手段と、
を有する再生装置と、
前記第１の記録媒体から前記画像データを読み取ると共に、前記第１又は第２の記録媒体に記録された前記編集指示情報を読み取る読取手段と、前記読取手段によって読取られた前記画像データ及び前記編集情報に基づいて、前記画像データを編集する編集手段と、前記編集手段によって編集された編集画像データを新たな第３の記録媒体に記録する編集記録手段と、
を有する編集装置と、
からなる動画像編集システム。
【請求項２】
画像を表す画像データが予め記録された第１の記録媒体から前記画像データを読み取って、画像を表示再生する再生手段と、前記再生手段による表示再生中に、前記画像データを編集するための編集指示情報を入力するための入力手段と、前記入力手段によって入力された前記編集指示情報及び前記再生手段によって読み取られた前記画像データを外部へ送信する送信手段と、
を有する再生装置と、
前記画像データ及び前記編集指示情報を受信する受信手段と、前記受信手段によって受信した前記画像データ及び前記編集指示情報に基づいて、前記画像データを編集する編集手段と、前記編集手段によって編集された画像データを新たな記録媒体に記録する記録手段と、
を有する編集装置と、
前記再生装置及び前記編集装置とを通信接続するネットワークと、
からなる動画像編集システム。
【請求項３】
前記第１の記録媒体に予め記録された前記画像データは、被写体を撮影して動画像を表す画像データを取得する撮影装置によって取得し、前記撮影装置により取得された画像データを、前記編集装置の編集記録手段によって前記第１の記録媒体に予め記録することを特徴とする請求項１又は請求項２に記載の動画像編集システム。
【発明の詳細な説明】
【０００１】
【発明の属する技術分野】
本発明は、動画像編集システムにかかり、特に、デジタルカメラ等の撮影装置の撮影によって得られる画像データを編集するための動画像編集システムに関する。
【０００２】
【従来の技術】
近年、簡便に撮影可能なＣＣＤ撮像素子などを用いた撮像装置として、デジタルカメラが数多く流通している。デジタルカメラは、その撮影時には、ＣＣＤ撮像素子などで光量に応じた電荷（光電変換）を画素毎に読み取って、画像データに変換した後に、撮影画像を画像データとして記録媒体に記録している。
【０００３】
また、この種のデジタルカメラでは、静止画像のみならず動画像を撮影することも可能となってきている。
【０００４】
静止画像の画像データは、写真店やラボなどのサービス店にて、印画紙等にプリントすることによって、銀塩写真と同様の写真プリントを得ることができる。
【０００５】
写真店やラボなどのサービス店に画像データのプリントを依頼する際に、プリントサイズや枚数などを店頭で指示するのではなく電子データ形式のプリント注文情報として伝達するプリント注文方法が提案されている。例えば、特許文献１では、現像済フィルムを読み取って得られる写真画像の画像データを、プリントサービスに関するプリントサービス情報と共に記録媒体に記録し、その画像データのプリント注文情報において、記録媒体に記録されたプリントサービス情報を画像データと共に注文画像面に表示し、表示されたプリントサービス情報を使用して、画像データに関するプリントサービスを要求するためのプリント注文情報を作成することが提案されている。
【０００６】
一方、動画像の画像データは、記録媒体に保存して、再生装置等で再生するが、近年では、高品質な動画像データの保存メディアとしてＤＶＤ（Ｄｉｇｉｔａｌ　Ｖｅｒｓａｔｉｌｅ　Ｄｉｓｃ／Ｄｉｇｉｔａｌ　Ｖｉｄｅｏ　Ｄｉｓｃ）−ＲＯＭが注目されており、再生装置として、ＤＶＤプレーヤが普及している。
【０００７】
【特許文献１】
特開平１０−２１４２９５号公報（第１頁、第２図）
【０００８】
【発明が解決しようとする課題】
しかしながら、追記型のＤＶＤプレーヤは高額な装置であるため、単純な再生用のＤＶＤプレーヤほど普及はしておらず、個人的にデジタルビデオカメラ等のデジタルカメラで撮影することによって得られる動画像の画像データや静止画像の画像データを、ＤＶＤ−Ｒ等の追記記録可能な記録媒体に記録するには、編集装置、ＤＶＤ追記書き替え装置などを備える必要があり、専門的な知識も必要となり、気軽にＤＶＤ−ＲＯＭを作成することが難しい。
【０００９】
本発明は、上記事実を考慮して成されたもので、デジタルカメラで撮影することによって得られる動画像を表す画像データを、安価かつ簡便に編集することが可能な動画像編集システムを提供することを目的とする。
【００１０】
【課題を解決するための手段】
上記目的を達成するために請求項１に記載の発明は、画像を表す画像データが予め記録された第１の記録媒体から前記画像データを読み取って、画像を表示再生するための再生手段と、前記再生手段による表示再生中に、前記画像データを編集するための編集指示情報を入力するための入力手段と、前記入力手段によって入力された前記編集指示情報を前記第１の記録媒体または前記第１の記録媒体とは異なる第２の記録媒体に記録する記録手段と、を有する再生装置と、前記第１の記録媒体から前記画像データを読み取ると共に、前記第１又は第２の記録媒体に記録された前記編集指示情報を読み取る読取手段と、前記読取手段によって読取られた前記画像データ及び前記編集情報に基づいて、前記画像データを編集する編集手段と、前記編集手段によって編集された編集画像データを新たな第３の記録媒体に記録する編集記録手段と、を有する編集装置と、からなることを特徴としている。
【００１１】
請求項１に記載の発明によれば、再生装置は、再生手段、入力手段、及び記録手段を備えており、再生手段では、画像を表す画像データ（例えば、静止画像や動画像を表す画像データ）が予め記録された第１の記録媒体を読み取って、画像をディスプレイ等に再生表示させ、入力手段では、画像データを編集するための編集指示情報が入力され、記録手段では、編集指示情報が第１又は第２の記録媒体に記録される。例えば、ＤＶＤ−ＲＯＭ等の記録媒体に記録された動画像を表す画像データを再生手段によって再生しながら、入力手段で編集して切り出す部分の開始位置や終了位置を指定することによって、編集指示を行うことができ、当該編集指示による編集指示情報は、メモリカード等の第２の記録媒体に記録することが可能である。
【００１２】
すなわち、編集指示情報を入力するための入力手段と、編集情報をメモリカート等の記録媒体に記録する記録手段をＤＶＤプレーヤ等の再生装置に備えることによって、安価かつ容易に本発明の再生装置を実現できる。
【００１３】
また、編集装置は、読取手段、編集手段、及び編集記録手段を備えており、読取手段では、再生装置で第１又は第２の記録媒体に記録された編集指示情報が読み取られると共に、第１の記録媒体に記録された編集対象となる画像データが読み取られ、編集手段では、読み取られた編集指示情報に基づく画像データの編集が行われる。そして、編集後の画像データが記録手段によって新たな第３の記録媒体に記録される。
【００１４】
このように、安価かつ容易に実現できる再生装置により編集指示情報を作成して第２の記録媒体に記録し、編集装置を所有するサービス店に第１の記録媒体と第２の記録媒体（第１の記録媒体に編集指示を記録した場合には、第１の記録媒体のみ）を持っていくことで、容易に動画像を編集することが可能となる。
【００１５】
請求項２に記載の発明は、画像を表す画像データが予め記録された第１の記録媒体から前記画像データを読み取って、画像を表示再生する再生手段と、前記再生手段による表示再生中に、前記画像データを編集するための編集指示情報を入力するための入力手段と、前記入力手段によって入力された前記編集指示情報及び前記再生手段によって読み取られた前記画像データを外部へ送信する送信手段と、を有する再生装置と、前記画像データ及び前記編集指示情報を受信する受信手段と、前記受信手段によって受信した前記画像データ及び前記編集指示情報に基づいて、前記画像データを編集する編集手段と、前記編集手段によって編集された画像データを新たな記録媒体に記録する記録手段と、を有する編集装置と、前記再生装置及び前記編集装置とを通信接続するネットワークと、からなることを特徴としている。
【００１６】
請求項２に記載の発明によれば、再生装置は、再生手段、入力手段、及び送信手段を備えており、再生手段では、画像を表す画像データ（例えば、静止画像や動画像を表す画像データ）が予め記憶された第１の記録媒体から読み取られて、画像がディスプレイ等に再生表示され、入力手段では、画像データを編集するための編集指示情報が入力され、送信手段では、画像データ及び編集指示情報が外部へ送信される。例えば、ＤＶＤ−ＲＯＭ等の記録媒体に記録された動画像を表す画像データを再生手段によって再生しながら、入力手段で編集して切り出す部分の開始位置や終了位置を指定することによって、編集指示を行うことができ、当該編集指示による編集指示情報及び編集対象の画像データは、送信手段によって編集サービスを提供する編集装置等へ送信することが可能である。
【００１７】
すなわち、編集指示情報を入力するための入力手段と、編集情報及び編集対象の画像データを外部へ送信する送信手段をＤＶＤプレーヤ等の再生装置に備えることによって、安価かつ容易に本発明の再生装置を実現できる。
【００１８】
送信手段としては、例えば、インターネット等で代表されるネットワークに接続したコンピュータ等を適用することが可能である。
【００１９】
また、編集装置は、受信手段、編集手段、及び記録手段を備えており、受信手段では、再生装置から送信される編集指示情報及び編集対象の画像データを受信し、編集手段では、受信した編集指示情報に基づく編集対象の画像データの編集が行われる。そして、編集後の画像データが記録手段によって新たな記録媒体に記録される。
【００２０】
ここで、再生装置の送信手段と、編集装置の受信手段との通信接続をネットワークによって行うことによって、再生装置で得られる編集指示情報に基づく画像データの編集を編集装置で行うことが可能となる。
【００２１】
このように、安価かつ容易にに実現できる再生装置により編集指示情報を作成して、編集装置を所有するサービス店等へ送信することによって、容易に動画像を編集することができる。
【００２２】
なお、請求項１又は請求項２に記載の発明における、第１の記録媒体に予め記録された画像データは、請求項３に記載の発明のように、画像を撮影して画像を表す画像データを取得するデジタルカメラ等の撮影装置によって取得して、撮影装置によって取得された画像データを、編集装置の編集記録手段によって第１の記録媒体に予め記録したものを用いることが可能である。
【００２３】
【発明の実施の形態】
以下、図面を参照して本発明の実施の形態の一例を詳細に説明する。
【００２４】
図１には、本発明の実施の形態に係わる動画像編集システム１０の概略構成を示す。
【００２５】
図１に示すように、動画像編集システム１０は、各々同一または異なるユーザが所有する、複数のコンピュータ（５２Ａ、５２Ｂ、５２Ｃ）５２、及び動画像編集サービスを提供する本発明の編集装置としてのサーバコンピュータ５４が、それぞれモデム、ルータ、ＴＡ（ターミナルアダプタ：Ｔｅｒｍｉｎａｌ　Ａｄａｐｔｅｒ）等の接続装置５６を介して、インターネットやその他の小規模ネットワークとしてのＬＡＮ（Ｌｏｃａｌ　Ａｒｅａ　Ｎｅｔｗｏｒｋ）で代表されるネットワーク（例えば、インターネット）６０に接続されている。複数のコンピュータ５２及びサーバコンピュータ５４は、ネットワーク６０を介して相互通信により情報授受が可能とされている。
【００２６】
複数のコンピュータの各々はクライアント・コンピュータとして機能する。また、クライアント・コンピュータ５２は、デジタルカメラ５８に接続して相互通信可能とされており、デジタルカメラ５８で撮影することによって得られる動画像や静止画像を表す画像データをサーバコンピュータ５４へ送信可能なようになっている。
【００２７】
本実施の形態では、ネットワーク６０としてインターネットを適用した場合を説明する。この場合、少なくとも１つのコンピュータはＷＷＷ（Ｗｏｒｌｄ　Ｗｉｄｅ　Ｗｅｂ）サーバとして機能させることができ、また他のマシンはＷＷＷクライアントとして機能させることができる。
【００２８】
詳細には、各コンピュータには、ＷＷＷブラウザがインストールされており、このＷＷＷブラウザを起動することにより、ネットワーク６０を介して動画像編集サービスを提供するサーバコンピュータ５４に任意にアクセス可能となる。このとき、アクセス位置（アクセス先のコンピュータの位置、及びコンピュータ内の情報の位置で構成されるデータ）はＵＲＬ（Ｕｎｉｆｏｒｍ　Ｒｅｓｏｕｒｃｅ　Ｌｏｃａｔｏｒ）で指定される。
【００２９】
これらのコンピュータは、他のコンピュータからアクセス要求があった場合、ＵＲＬで指定された位置にあるデータを、ネットワーク６０を介して、アクセス元のコンピュータへ送信する。この時、データは、一般に、ＨＴＴＰ（Ｈｙｐｅｒ　Ｔｅｘｔ　Ｔｒａｎｓｆｅｒ　Ｐｒｏｔｏｃｏｌ）に従って転送される。
【００３０】
なお、これらのコンピュータの識別には、ＩＰ（Ｉｎｔｅｒｎｅｔ　Ｐｒｏｔｏｃｏｌ）アドレスが用いられる。
【００３１】
すなわち、動画像編集サービスを提供するサーバコンピュータ５４にコンピュータ５２を用いてアクセスすることによって、動画像編集サービスを受けることができる。
【００３２】
次に、各コンピュータ５２及びサーバコンピュータ５４の詳細な構成について図２を参照して説明する。
【００３３】
サーバコンピュータ５４は、図２に示すように、ＣＰＵ３０、ＲＯＭ３２、ＲＡＭ３４、及びハードディスク（ＨＤＤ）３６がバス３８に接続された一般的なコンピュータで構成されていると共に、バス３８には、キーボード４２、ディスプレイ４０、メディアインターフェース（Ｉ／Ｆ）４４、及び通信インターフェース（Ｉ／Ｆ）４６等が接続されている。
【００３４】
サーバコンピュータ５４の通信Ｉ／Ｆ４６には、上述したインターネット等で代表されるネットワーク６０が接続されており、ネットワーク６０に接続されたその他のコンピュータと相互通信可能とされている。
【００３５】
サーバコンピュータ５４のメディアＩ／Ｆ４４には、ＤＶＤ−ＲＯＭ等のリムーバブルディスク８８に対するデータの読み書きを行うことが可能なディスク装置２８が接続され、編集された画像データや編集される前の画像データをリムーバブルディスク８８へ記録することが可能とされていると共に、メモリカード等の記憶メディア９０に対するデータの読み書きを行うことが可能なカードインターフェース（Ｉ／Ｆ）４８が接続されている。
【００３６】
また、サーバコンピュータ５４のＲＯＭ３２には、画像データを編集するためのプログラムや編集時に自動的に画像補整（コントラスト調整や色調整など）を行うためのプログラム等が記憶されており、ＣＰＵ３０の制御によって動画像を表す画像データの編集がなされるようになっている。また、サーバコンピュータ５４のＨＤＤ３６には、編集時に用いる予め定められた額縁画像等を表すテンプレートデータ等が記憶されている。
【００３７】
一方、編集サービスを要求するための各コンピュータ５２は、サーバコンピュータ５４と同様に、ＣＰＵ７０、ＲＯＭ７２、ＲＡＭ７４、及びハードディスク（ＨＤＤ）７６がバス７８に接続された一般的なコンピュータで構成されていると共に、該バス７８には、キーボード８２、ディスプレイ８０、メディアインターフェース（Ｉ／Ｆ）８４、及び通信インターフェース（Ｉ／Ｆ）８６等が接続されている。
【００３８】
各コンピュータ５２の通信Ｉ／Ｆ８６にも、インターネット等で代表される上述のネットワーク６０が接続されており、ネットワーク６０に接続されたその他のコンピュータ５２やサーバコンピュータ５４とそれぞれ相互通信可能とされている。
【００３９】
各コンピュータ５２のメディアＩ／Ｆ８４には、デジタルカメラ５８で撮影することによって得られる動画像を表す画像データが記録されたリムーバブルディスク（例えば、ディスク装置２８によって当該画像データが記録されたＤＶＤ−ＲＯＭなど）等を読み取り可能な再生装置５０やデジタルカメラ５８が接続可能とされ、デジタルカメラ５８から画像データをコンピュータ５２へ入力することが可能となっている。すなわち、デジタルカメラ５８から画像データをコンピュータ５２に入力し、サーバコンピュータ５４へ送信することが可能とされている。
【００４０】
また、各コンピュータ５２のＲＯＭ７２には、各種プログラム等が記憶され、ＲＡＭ７４には、編集サービスを受けるための各種プログラムや編集サービスを提供するサーバコンピュータへアクセスするための情報等が記憶されている。
【００４１】
再生装置５０は、図３に示すように、リムーバブルディスク８８に記録された画像データを読取るディスク装置１４を有しており、該ディスク装置１４で読取った画像データが再生手段１２へ出力され、再生手段１２では、ディスプレイ１６に画像データに基づく動画像を表示するための処理が行われ、これによって、ディスプレイ１６に画像データに基づく動画像が再生表示される。
【００４２】
また、再生装置５０には、再生手段１２によって再生される動画像に基づく編集情報を生成する編集情報生成手段２０を備えており、編集情報生成手段２０によって生成された編集情報は、カードＩ／Ｆ２２によってメモリカード等の記憶メディア９０に記憶される。
【００４３】
編集情報は、再生装置５０に設けられた操作部１８の操作、または再生装置５０を操作するためのリモートコントローラ２６の操作に応じて生成される。なお、リモートコントローラ２６の操作情報は、受信部２４を介して編集情報生成手段２０へ入力されるようになっている。
【００４４】
リモートコントローラ２６は、図３に示すように、電源スイッチ２６Ａ、再生装置５０の各種操作を行うための数字キー２６Ｂ、矢印キー２６Ｃ、再生スイッチ２６Ｄ、停止スイッチ２６Ｅ、巻戻しスイッチ２６Ｆ、早送りスイッチ２６Ｇ、メニュースイッチ２６Ｈ、決定スイッチ２６Ｉ、キャンセルスイッチ２６Ｊ等の各種スイッチが設けられている。
【００４５】
ここで、編集情報生成手段２０によって編集情報を生成する際のリモートコントローラ２６の各種スイッチの機能の一例について説明する。
【００４６】
リモートコントローラ２６のメニュースイッチ２６Ｈを操作することによって再生手段１２によって再生する動画像の編集情報を生成する編集情報作成モードへ移行する。なお、編集情報作成モード以外のモードについては、一般的なＤＶＤプレーヤ等の再生装置と同一機能となる。
【００４７】
編集情報作成モードへ移行すると、編集情報生成手段２０は、再生手段１２に対して編集情報作成モードであることを通知し、これによって再生手段１２では、当該編集情報作成モードであることを表すマーク等をディスプレイ１６に表示するようになっている。
【００４８】
例えば、メニュースイッチ２６Ｈを操作してメニューをディスプレイ１６に表示させ、矢印キー２６Ｃと決定スイッチ２６Ｉを操作して各種メニューを選択する。メニュー項目は、例えば、後述する「リードイン、リードアウト指定」、「ロール順番設定」、「インデックス位置指定」、「編集指示情報書き出し」、「編集指示情報読み込み」等を有する。
【００４９】
矢印キー２６Ｃと決定スイッチ２６Ｉを操作して、「リードイン、リードアウト指定」が選択されると、動画像の中から切り出す範囲の指定を行うことができる。なお、リードインは切り出し開始位置を表し、リードアウトは、切り出し終了位置を表す。また、リードインとリードアウトで指定される切り出し範囲をロールという。
【００５０】
また、「ロール順番設定」が選択されると、「リードイン、リードアウト指定」で切り出したロールのリストが表示され、編集後のロール順番を設定することができ、「インデックス位置指定」が選択されると、ロール内のインデックス位置を設定することができる。なお、各ロールの先頭にはインデックスが自動的に設定され、このインデックス位置が編集後のチャプターメニューに反映される。
【００５１】
また、「編集指示情報書き出し」が選択されると、生成された編集指示情報の記憶メディア９０へ書き出しまたはインターネット等のネットワーク６０経由でサーバコンピュータ５４へ送信が行われ、「編集指示情報読み込み」が選択されると、記憶メディア９０上の編集指示情報が読み込まれる。なお、再生装置５０上に保存されている編集指示情報は、記憶メディア９０から読み込まれた情報で上書きされる。
【００５２】
次に、編集指示情報の格納方法について説明する。
【００５３】
編集指示情報は、記憶メディア９０に予め設けられた所定のフォルダ、例えば、「／ｅｄｉｔ＿ｉｎｆｏ」フォルダ等のフォルダを作成して格納される。
【００５４】
ファイル構成は、図４に示すように、ヘッダ情報９２、ロール順番情報９４、ロール情報９６で構成される。
【００５５】
ヘッダ情報９２は、図５に示すように、システムを表すファイルＩＤ９２Ａ、リムーバブルディスクを識別するオリジナルディスクＩＤ９２Ｂ、ロール数９２Ｃ、ロール順番情報のアドレス９２Ｄ、ロール情報のアドレス９２Ｅ、及びバージョン情報９２Ｆを含んでいる。
【００５６】
ロール順番情報９４は、図６に示すように、ロール番号９４Ａ、ロールを識別するロールＩＤ９４Ｂ、及びファイル上のロール情報アドレス９４Ｃを含んでいる。
【００５７】
また、ロール情報９６は、図７に示すように、ロールを識別するロールＩＤ９６Ａ、切り出し開始時間又はフレームの少なくとも一方を表すリードイン９６Ｂ、切り出し終了時間又はフレームの少なくとも一方を表すリードアウト９６Ｃ、ロール内に設定されたインデックスがある場合のインデックス数９６Ｄ、及びロール内の各インデックス位置を表すインデックス位置９６Ｅ、９６Ｆを含んでいる。なお、インデックス位置９６Ｅ、９６Ｆはインデックスの数に対応して数設ける。
【００５８】
次に、上述のように構成された動画像編集システム１０におけるサーバコンピュータ５４で行われるディスク書き込みサービス及び動画像編集サービスの処理について図８のフローチャートを参照して説明する。
【００５９】
まず、ステップ１００では、ディスク書き込みサービスが要求されたか否か判定される。該判定は、サービスを受けるユーザの所有するコンピュータ５２によってサーバコンピュータ５４にアクセスし、ディスク書き込みサービスを要求する指示がなされたか否か、または、サービスを受けるユーザがサービスの提供元にサービスを受けるためのオリジナル画像データが記録された磁気記録媒体等の記録媒体を受け渡し、サーバコンピュータ５４でディスク書き込み指示を行ったか否かを判定することによってなされる。
【００６０】
ステップ１００の判定が肯定された場合には、ステップ１０２へ移行して、オリジナル画像データを取得したか否か判定される。該判定は、例えば、ネットワーク６０を介してコンピュータ５２からオリジナル画像データを取得したか否か、または、オリジナル画像データが記録された記録媒体を受け取って、記録媒体からオリジナル画像データを読出したか否かを判定することによってなされる。
【００６１】
ステップ１０２の判定が否定された場合には、肯定されるまで待機してステップ１０４へ移行する。
【００６２】
ステップ１０４では、オリジナル画像データをＤＶＤ−ＲＯＭ等のリムーバブルディスク８８に記録してディスク書き込みサービスを終了する。なお、オリジナル画像データが書き込まれたリムーバブルディスク８８は、サービス要求元に郵送するようにしてもよいし、サービス提供元で直接手渡すようにしてもよい。
【００６３】
一方、ステップ１０２の判定が否定された場合には、ステップ１０６へ移行して、編集サービスが要求されたか否か判定される。該判定は、サービスを受けるユーザの所有するコンピュータ５２によってサーバコンピュータ５４にアクセスし、編集サービスを要求する指示がなされたか否か、または、オリジナル画像データが記録された記録媒体と編集指示情報が記録された記録媒体をサービス提供元に直接渡し、サーバコンピュータ５４で編集サービス指示を行ったか否かを判定することによってなされる。
【００６４】
ステップ１０６の判定が否定された場合には、当該処理を終了し、ステップ１０６の判定が肯定された場合には、ステップ１０８へ移行する。
【００６５】
ステップ１０８では、編集指示情報及びオリジナル画像データを取得したか否か判定される。該判定は、上述のように、ネットワーク６０経由で編集指示情報及びオリジナル画像データを取得したか否か、または、サービス要求元から編集指示情報が記録された記録媒体とオリジナル画像データが記録された記録媒体（編集指示情報及びオリジナル画像データが共に記録された記録媒体でもよい）を受け取って、編集指示情報及びオリジナル画像データを読出したか否かを判定することによってなされる。
【００６６】
ステップ１０８の判定が否定された場合には、肯定されるまで待機してステップ１１０へ移行する。
【００６７】
ステップ１１０では、編集指示情報に基づく画像データの編集が行われる。すなわち、リードイン、リードアウトに基づく画像データの切り出しや、リードイン、リードアウトで指定されるロールの指定された順番等となるように画像データの編集が行われる。
【００６８】
そして、ステップ１１２では、編集された画像データがリムーバブルディスクへ書き込まれて一連の処理を終了する。なお、編集された画像データが書き込まれたリムーバブルディスク８８は、サービス要求元に郵送するようにしてもよいし、サービス提供元で直接手渡すようにしてもよい。
【００６９】
続いて、再生装置５０で編集指示情報を生成する際の処理について図９のフローチャートを参照して説明する。
【００７０】
ステップ２００では、編集指示情報作成モードか否か判定される。該判定は、リモートコントローラ２６または操作部１８を操作することによって、編集指示情報作成モードが選択されたか否か、すなわち、メニュースイッチ２６Ｈを操作して、メニュー項目を表示させて、矢印キー２６Ｃと決定キー２６Ｉを操作して、編集指示情報作成の項目が選択されたか否かを判定することによってなされる。
【００７１】
ステップ２００の判定が否定された場合には、編集指示作成する当該処理を終了し、肯定された場合には、ステップ２０２へ移行する。
【００７２】
ステップ２０２では、編集指示情報読み込みか否か判定される。すなわち、既に、記憶メディア９０に編集指示情報が作成され、当該編集指示情報を更に編集するか否か判定される。該判定は、ステップ２００と同様に、メニュースイッチ２６Ｈを操作して、メニュー項目を表示させて、矢印キー２６Ｃと決定キー２６Ｉを操作して、編集指示情報読み込みの項目が選択されたか否かを判定することによってなされる。
【００７３】
該判定が肯定された場合には、ステップ２０４へ移行して、編集指示情報が記憶メディア９０から読出されてステップ２０６へ移行し、ステップ２０２の判定が否定された場合には、そのままステップ２０６へ移行する。
【００７４】
ステップ２０６では、リードイン、リードアウト指定か否か判定される。該判定もステップ２００と同様に、メニュースイッチ２６Ｈを操作して、メニュー項目を表示させて、矢印キー２６Ｃと決定キー２６Ｉを操作して、リードイン、リードアウト指定の項目が選択されたか否かを判定することによってなされる。
【００７５】
該判定が肯定された場合には、ステップ２０８へ移行して、リードイン、リードアウト指定が行われる。例えば、再生スイッチ２６Ｄを操作して、画像データに基づく動画像をディスプレイ１６に再生させて、所望の位置で、決定スイッチ等のリードインまたはリードアウトを指定する予め定めたスイッチを操作することによって、リードインとリードアウトの指定が行われる。
【００７６】
また、ステップ２０６の判定が否定された場合には、リードイン、リードアウト指定を行わずにそのままステップ２１０へ移行する。
【００７７】
ステップ２１０では、ロール順番指定か否か判定される。該判定もステップ２００と同様に、メニュースイッチ２６Ｈを操作して、メニュー項目を表示させて、矢印キー２６Ｃと決定キー２６Ｉを操作して、ロール順番指定の項目が選択されたか否かを判定することによってなされる。
【００７８】
該判定が肯定された場合には、ステップ２１２へ移行して、ロール順番指定が行われる。例えば、リードイン、リードアウトで切り出されたロールの一覧に対して、矢印キー２６Ｃ、数字キー２６Ｂ、決定キー２６Ｉ等を操作することによってロール順番の指定が行われる。
【００７９】
ステップ２１０の判定が否定された場合には、ロール順番指定を行わずにそのままステップ２１４へ移行する。
【００８０】
ステップ２１４では、インデックス位置指定か否か判定される。該判定もステップ２００と同様に、メニュースイッチ２６Ｈを操作して、メニュー項目を表示させて、矢印キー２６Ｃと決定キー２６Ｉを操作して、インデックス位置指定の項目が選択されたか否かを判定することによってなされる。
【００８１】
該判定が肯定された場合には、ステップ２１６へ移行して、インデックス位置指定が行われる。例えば、再生スイッチ２６Ｄを操作して、画像データに基づく動画像をディスプレイ１６に再生させて、所望の位置で、決定スイッチ等のインデックスを指定する予め定めたスイッチを操作することによって、ロール内のインデックスの指定が行われる。
【００８２】
ステップ２１４の判定が否定された場合には、インデックス位置指定を行わずにそのままステップ２１８へ移行する。
【００８３】
ステップ２１８では、編集指示情報の記憶メディア９０への書き出しか否か判定される。該判定もステップ２００と同様に、メニュースイッチ２６Ｈを操作して、メニュー項目を表示させて、矢印キー２６Ｃと決定キー２６Ｉを操作して、編集指示情報の書き出しの項目が選択されたか否かを判定することによってなされる。
【００８４】
該判定が肯定された場合には、ステップ２２０へ移行して、上述のようにして作成された編集指示情報が記憶メディア９０に書き込まれて、一連の処理を終了する。
【００８５】
一方、ステップ２１８の判定が否定された場合には、ステップ２２２へ移行して、編集指示再設定か否か判定される。該判定もステップ２００と同様に、メニュースイッチ２６Ｈを操作して、メニュー項目を表示させて、矢印キー２６Ｃと決定キー２６Ｉを操作して、編集指示再設定の項目が選択されたか否かを判定することによってなされる。
【００８６】
該判定が肯定された場合には、ステップ２０６へ戻って、上述の処理が繰り返され、ステップ２２２の判定が否定された場合には、ステップ２００へ戻って、上述の処理が繰り返される。
【００８７】
このように、本実施の形態に係わる動画像編集システム１０では、ＤＶＤ−ＲＯＭ等のリムーバブルディスクを再生する再生装置５０に簡易な編集指示情報作成機能を付加するだけで、サーバコンピュータ５４で編集指示情報に基づく編集を行った画像データをリムーバブルディスクに記録することができる。
【００８８】
また、このような再生装置５０は、低コストで編集指示情報作成機能を付加することが可能であり、デジタルカメラで撮影することによって得られる動画像を表す画像データを、安価かつ簡便に編集する可能となる。
【００８９】
さらに、当該機能を再生装置５０に付加することによって、デジタルカメラ５８等で用いる記憶メディア９０に対する読み込み及び書き込みが可能となるため、デジタルカメラ５８で使用する記憶メディアの読み込みも可能となり、デジタルカメラ５８で撮影することによって得られる静止画像についても再生が可能となる。
【００９０】
なお、上記の実施の形態では、動画像の編集を例に挙げて説明したが、これに限るものではなく、デジタルカメラ５８に使用する記憶メディア９０に対してアクセス可能なカードＩ／Ｆ２２、４８を再生装置５０及び編集装置としてのサーバコンピュータ５４のそれぞれに備えているので、静止画を表す画像データに対しても上記の実施形態と同様に、編集サービスを提供することが可能である。
【００９１】
また、上記の実施の形態では、編集後の画像データをリムーバブルディスク８８等の記録媒体に記録して、編集サービスの要求元に渡すようにしたが、これに限るものではなく、例えば、ネットワーク６０を介して編集後の画像データを返信するようにしてもよい。
【００９２】
【発明の効果】
以上説明したように本発明によれば、編集指示情報を入力するための入力手段と、編集指示情報を記録媒体に記録する記録手段と、をＤＶＤ等の記録媒体から画像データを読み取って表示再生する再生装置に設け、画像データ及び編集指示情報を記録媒体から読み取る読取手段と、画像データを編集指示情報に基づいて編集する編集手段と、編集後の画像データを記録媒体に記録する編集記録手段と、を編集装置に設けることによって、安価かつ簡便に編集指示情報を再生装置で作成して、該作成の編集指示情報に基づいて、編集装置による編集を行うことができるので、デジタルカメラで撮影することによって得られる動画像を表す画像データを、安価かつ簡便に編集することが可能となる、という効果がある。
【００９３】
また、編集指示情報を入力するための入力手段と、編集指示情報及び画像データを外部へ送信する送信手段と、をＤＶＤ等の記録媒体から画像データを読み取って表示再生する再生装置に設け、再生装置から送信される編集指示情報及び画像データをネットワークを介して受信する受信手段と、画像データを編集指示情報に基づいて編集する編集手段と、編集後の画像データを記録媒体に記録する記録手段と、を編集装置に設けることによっても、安価かつ簡便に編集指示情報を再生装置で作成して、該作成の編集指示情報に基づいて、編集装置による編集を行うことができるので、デジタルカメラで撮影することによって得られる動画像を表す画像データを、安価かつ簡便に編集することが可能となる、という効果がある。
【図面の簡単な説明】
【図１】本発明の実施の形態に係わる動画像編集システムの概略構成を示すブロック図である。
【図２】本発明の実施の形態に係わる動画像編集システムにおけるコンピュータ及びサーバコンピュータの詳細な構成を示すブロック図である。
【図３】再生装置の詳細な構成を示すブロック図である。
【図４】編集指示情報のファイル構成の一例を示す図である。
【図５】ヘッダ情報の一例を示す図である。
【図６】ロール順番情報の一例を示す図である。
【図７】ロール情報の一例を示す図である。
【図８】本発明の実施の形態に係わる動画像編集システムにおけるサーバコンピュータで行われるディスク書き込みサービス及び津お画像編集サービスの処理の流れを示すフローチャートである。
【図９】再生装置で編集指示情報を生成する際の処理の流れを示すフローチャートである。
【符号の説明】
１０　　動画像編集システム
１２　　再生手段
１４、２８　　ディスク装置
１６　　ディスプレイ
１８　　操作部
２０　　編集情報生成手段
２２、４８　　カードＩ／Ｆ
２４　　受信部
２６　　リモートコントローラ
３０、７０　　ＣＰＵ
３２、７２　　ＲＯＭ
３４、７４　　ＲＡＭ
３６、７６　　ＨＤＤ
３８、７８　　バス
４４、８４　　メディアＩ／Ｆ
４６、８６　　通信Ｉ／Ｆ
５０　　再生装置
５２　　コンピュータ
５４　　サーバコンピュータ
５８　　デジタルカメラ
６０　　ネットワーク
【図１】
2004128685.tif 000003
【図２】
2004128685.tif 000004
【図３】
2004128685.tif 000005
【図４】
2004128685.tif 000006
【図５】
2004128685.tif 000007
【図６】
2004128685.tif 000008
【図７】
2004128685.tif 000009
【図８】
2004128685.tif 000010
【図９】
2004128685.tif 000011